(57)【要約】      （修正有）【課題】鼻孔への挿入が容易に行えると共に鼻孔を膨らませることもなく、体裁よくフィルタを鼻孔内に装着しておくことができ、且つ、花粉や塵埃等の捕捉率の高い鼻マスクを提供する。【解決手段】挿入杆１における両側杆部１ａ、１ａの先端に取り付けているフィルタ２は、薄肉の不織布製であって、鼻孔Ａの大きさよりも僅かに小径の円板部の外周端縁に周方向に多数の花弁状突片２ｂを連続形成してなる外周縁部を一体に設けた皿形状に形成してなる。また、上記外周縁部の径を鼻孔Ａよりも大径にして、鼻孔Ａ内へのフィルタ２の挿入時に、花弁状突片２ｂを後方に撓ませながら円滑な装着を可能にしていると共に鼻孔内壁に対する花弁状突片２ｂの圧接力を小さくすることができて違和感をなくし、且つ、フィルタ２全面で花粉や塵埃等を効率よく捕捉することができるように構成する。【選択図】図４
0003159887.tif 000002
【実用新案登録請求の範囲】
【請求項１】
鼻孔内に挿入可能な両側杆部を有する挿入杆と、この挿入杆における両側杆部の先端にその中心部を取り付けた不織布製のフィルタとからなる鼻フィルタにおいて、フィルタは鼻孔の径よりも大径で、且つ、中心部から外周縁部に向かうに従って緩やかに傾斜した皿形状に形成されていると共に、その外周縁部を周方向に連続した多数の花弁状突片に形成していることを特徴とする鼻マスク。
【請求項２】
挿入杆は可撓性を有する透明ないしは半透明の合成樹脂よりなると共に両側杆部の基端部間を連続させている連結基部を両側杆部よりも小径の細径基部に形成してあり、さらに、両側杆部の長さ方向の中央部を互いに接近する方向に屈曲させて鼻中隔を挟む屈曲係合部に形成していることを特徴とする請求項１に記載の鼻マスク。
【請求項３】
挿入杆の両側杆部の先端に鍔状のフィルタ座部とこのフィルタ座部の中心に突設している突軸部とを形成している一方、フィルタの中心部にこの突軸部に挿通させる小孔を穿設してあり、この小孔を突軸部に挿通してフィルタを上記座部に受止させると共に小孔から突出した突軸部に締付リング片を取り付けていることを特徴とする請求項１又は請求項２に記載の鼻マスク。
【考案の詳細な説明】
【技術分野】
【０００１】
本考案は、鼻孔内に装着して空気中に含まれる花粉や粉塵、ハウスダスト等の浸入を防止し、綺麗な空気を吸入することができる鼻マスクに関するものである。
【背景技術】
【０００２】
従来から、この種の鼻マスクとしては種々の構造のものが開発されてあり、例えば、特許文献１には、左右鼻孔内に挿入可能な支持杆部を有するＵ字状ホルダーと、このＵ字状ホルダーの両側支持杆部の先端に外径が鼻孔の大きさに合う径に形成されている円板形状のフィルタを取り替え可能に取り付けてなる鼻マスクが記載され、特許文献２にはＵ字状に形成している連結杆の両側杆部の先端に、外径が鼻孔の大きさ（孔径）よりも大径で、且つ、その中心部から外周縁に向かうに従って杆部の基端側に緩やかに湾曲した碗形状のフィルタを装着してなる鼻マスクが記載されている。
【先行技術文献】
【特許文献】
【０００３】
【特許文献１】実開昭６１−７１１５４号公報
【特許文献２】特開２００７−３０１３４５号公報
【考案の概要】
【考案が解決しようとする課題】
【０００４】
しかしながら、前者の鼻マスクによれば、鼻孔内に装着するフィルタの外径を全ての使用者の鼻孔の大きさに合う径に形成しておくことはできず、装着した際にフィルタの径が鼻腔の大きさよりも小さいと、鼻孔内壁とフィルタとの間に隙間が生じて花粉や粉塵等がその隙間を通じて侵入してフィルタによる花粉等の捕捉率が大きく低下するといった問題点が生じ、フィルタ径が鼻孔の大きさよりも大径であると、鼻孔内への挿入が困難になるばかりでなく、挿入した場合には鼻孔がフィルタによって大きく膨らんで鼻の外観を損なうと共に圧迫感が生じるといった問題点がある。
【０００５】
一方、後者の鼻マスクによれば、鼻孔内に挿入するフィルタは、その径を鼻孔の大きさよりも大径に形成していると共に、中心部から外周縁に向かうに従ってこのフィルタを取り付けている杆部の基端側に向かって緩やかに湾曲した碗形状に形成しているので、上記円板形状に形成しているフィルタよりも鼻孔内への挿入が容易に行え、且つ、鼻孔内壁にこのフィルタの外周縁部を密着させて花粉や粉塵等の捕捉率を向上させることができるが、碗形状に湾曲しているこのフィルタを、鼻孔の開口端にその外周縁部を押当させた状態から鼻孔内に挿入しようとすると、外周縁部が周方向に収縮しながら撓まない限り縮径させることができず、フィルタを柔軟な不織布によって形成しておいても、元の径を維持しようとして挿入時の抵抗が大きくなると共に、鼻孔内に装着した状態においても上記同様に鼻孔内壁に比較的大きな力でもって圧接して鼻孔を膨らませると共に着用者に違和感を与えるといった問題点がある。
【０００６】
本考案はこのような問題点に鑑みてなされたもので、その目的とするところは、鼻孔の大きさに応じてその外径を容易に縮径させて鼻孔内への挿入が円滑に行うことができると共に、鼻孔を膨らませることなく、且つ、殆ど違和感を生じさせることなく鼻孔内に装着しておくことができ、さらに、鼻呼吸も自然に近い状態で行うことができる鼻マスクを提供するにある。
【課題を解決するための手段】
【０００７】
上記目的を達成するために本考案の鼻マスクは、請求項１に記載したように、鼻孔内に挿入可能な両側杆部を有する挿入杆と、この挿入杆における両側杆部の先端にその中心部を取り付けた不織布製のフィルタとからなる鼻フィルタにおいて、フィルタは鼻孔の径よりも大径で、且つ、中心部から外周縁部に向かうに従って緩やかに傾斜した皿形状に形成されていると共に、その外周縁部を周方向に連続した多数の花弁状突片に形成した構造としている。
【０００８】
このように構成した鼻マスクにおいて、請求項２に係る考案は、挿入杆は可撓性を有する透明ないしは半透明の合成樹脂よりなると共に両側杆部の基端部間を連続させている連結基部を両側杆部よりも小径の細径基部に形成してあり、さらに、両側杆部の長さ方向の中央部を互いに接近する方向に屈曲させて鼻中隔を挟む屈曲係合部に形成していることを特徴とする。
【０００９】
また、請求項３に係る考案は、挿入杆の両側杆部の先端に鍔状のフィルタ座部とこのフィルタ座部の中心に突設している突軸部とを形成している一方、フィルタの中心部にこの突軸部に挿通させる小孔を穿設してあり、この小孔を突軸部に挿通してフィルタを上記座部に受止させると共に小孔から突出した突軸部に締付リング片を取り付けていることを特徴とする。
【考案の効果】
【００１０】
請求項１に係る考案によれば、鼻孔内に挿入する両側杆部の先端に取り付けているフィルタは不織布からなり、鼻孔の径よりも大径で、且つ、中心部から外周縁部に向かうに従って緩やかに傾斜した皿形状に形成されていると共に、その外周縁部を周方向に連続した多数の花弁状突片に形成しているので、鼻孔内にフィルタを挿入する際に、フィルタの外周縁部に設けているこれらの花弁状突片が鼻孔内壁に沿って容易に撓んで使用者の鼻孔の大きさに応じてフィルタの外径を縮小させながら鼻孔内に円滑に挿入することができると共に、花弁状突片の復元力が極めて弱いために鼻孔内壁に対する圧着力が小さくて鼻孔を膨らませることもなく、且つ、違和感を与えることもなく鼻孔内に装着しておくことができる。
【００１１】
さらに、フィルタの外周縁部に形成している上記花弁状突片が撓むと、互いにその対向側端部が接近してこれらの側端部間の隙間がなくなる状態となり、従って、フィルタ全面で鼻孔を塞いで花粉や塵埃等を効率よく濾過することができると共に、鼻から息を吐く時にはその吐く力によって花弁状突片がさらに撓もうとして鼻孔内壁との圧接力が弱くなり、フィルタが薄い不織布から形成されていることと相まって自然に近い鼻呼吸を可能にすることができる。
【００１２】
請求項２に係る考案によれば、上記挿入杆は可撓性を有する透明ないしは半透明の合成樹脂よりなると共に、先端にフィルタを取り付けているその両側杆部よりもこれらの両側杆部間を連続させている連結基部を両側杆部よりも小径の細径基部に形成しているので、この連結基部よりも大径に形成されている両側杆部によってフィルタを強固に支持させて鼻孔内への装着操作が容易に行えると共に鼻孔外に露出する連結基部は透明ないしは半透明で細径に形成されているから、目立つ虞れもなく装着しておくことができる。さらに、上記両側杆部の長さ方向の中央部を互いに接近する方向に屈曲させて鼻中隔を挟む屈曲係合部に形成しているので、くしゃみをしても抜け難くなるようにフィルタを安定した状態で鼻孔内に装着しておくことができる。
【００１３】
また、請求項３に係る考案によれば、挿入杆の両側杆部の先端に鍔状のフィルタ座部とこのフィルタ座部の中心に突設している突軸部とを形成している一方、フィルタの中心部にこの突軸部に挿通させる小孔を穿設してあり、この小孔を突軸部に挿通してフィルタを上記座部に受止させると共に小孔から突出した突軸部に締付リング片を取り付けているので、両側杆部の先端に対するフィルタの取り付けが容易に且つ確実に行え、構造が簡単で安価な鼻マスクを提供することができる。
【図面の簡単な説明】
【００１４】
【図１】本考案鼻マスクの拡大斜視図。
【図２】その分解斜視図。
【図３】縦断正面図。
【図４】鼻孔に対して鼻マスクの装着を説明するための簡略正面図。
【図５】装着した状態の簡略側面図。
【図６】その拡大縦断正面図。
【考案を実施するための形態】
【００１５】
本考案の具体的な実施の形態を図面に基づいて説明すると、図１〜図３において、鼻マスクＡは、正面Ｕ字状に形成されている合成樹脂製の挿入杆１と、この挿入杆１の両側杆部1a、1aの先端に取り付けている平面円形状のフィルタ２、２とからなり、このフィルタ２は極薄の不織布を３層構造にした柔軟にして可撓性を有する厚さが０．５ｍｍ以下の薄肉の不織布からなり、平面が円形状に形成された円板部2aの外周部に半円状に形成された多数の花弁状突片2b、2b・・・2bを周方向に連続的に形成した外周縁部を一体に形成して平面から見た場合に離弁花冠形状に形成されている。
【００１６】
さらに、このフィルタ２は、円板部2aの中心から花弁状突片2bの突設端、即ち、外周端に向かうに従ってこのフィルタ２を取り付けた上記挿入杆１における側杆部1aの基端側に向かって滑らかな凸円弧状に湾曲、傾斜した皿形状に形成されている。
【００１７】
このように皿形状に湾曲しているフィルタ２の上記円板部2aの径を鼻孔Ｂの大きさ（孔径）よりも僅かに小径の９〜１０ｍｍに形成していると共に、円板2aから突設している花弁状突片2bの突出長を１〜２ｍｍにしてフィルタ２全体の直径を鼻孔Ｂの孔径よりも大径に形成している。また、このフィルタ２の中心部に、上記側杆部1aの先端にフィルタ２を取り付けるための小孔３を設けている。
【００１８】
一方、上記挿入杆１は可撓性を有する透明ないしは半透明の合成樹脂樹脂製であって、その両側杆部1a、1aの基端部間を鼻中隔の前端面を跨がって左右鼻孔Ｂ、Ｂ間に至る長さを有する連結基部1bの両端に一体に連設してなり、両側杆部1a、1aをそれぞれ左右鼻孔Ｂ、Ｂ内に挿入可能に形成している。また、この挿入杆１における上記連結基部1bを両側杆部1a、1aよりも小径（０．５ｍｍ径程度）の細径基部に形成していると共に両側杆部1a、1aの長さ方向の中央部を互いに接近する方向に凸円弧状に屈曲させて鼻中隔Ｃを挟む屈曲係合部1c、1cに形成している。
【００１９】
さらに、挿入杆１における両側杆部1a、1aの先端に、フィルタ２の背面中央部を受止する直径が４．４ｍｍ程度の鍔状のフィルタ座部４を形成していると共にこのフィルタ座部４の中心に、フィルタ２の中心部に設けている上記小孔３に挿通する径が１ｍｍ程度の小径の突軸部５を突設していると共にこの突軸部５の先端に直径が１．６ｍｍ程度の拡大頭5aを形成してあり、この突軸部５にフィルタ２の上記小孔３を挿通させてフィルタ２の背面中央部を上記フィルタ座部４に受止させ、フィルタ２の小孔３から突出している突軸部５に弾性を有する合成樹脂よりなる直径が４ｍｍ程度の締付リング片６を被嵌させてこの締付リング６と側杆部1aの先端のフィルタ座部４とによってフィルタ２の中心部を挟持させている。
【００２０】
なお、締付リング片６は、その中心孔6aを上記突軸部５よりも大径でこの突軸部５の先端の拡大頭部5aよりも小径に形成されていて、突軸部５に締付リング片６を取り付ける際に、この中心孔6aが弾性的に拡径変形しながら突軸部５の拡大頭部5aを通過したのち縮径し、突軸部５の拡大頭部5aに中心孔6aが係止した状態となる。
【００２１】
このように構成した鼻マスクＡは、その挿入杆１を摘んで両側杆部1a、1aの先端に取り付けている一対のフィルタ２、２を左右の鼻孔Ｂ、Ｂの開口端に当てがったのち、鼻孔Ｂ、Ｂ内に向かって押し進めることにより装着する。この際、フィルタ２はその円板部2aを鼻孔Ｂよりも小径で、多数の花弁状突片2bよりなる外周縁部の径を鼻孔Ｂよりも大径に形成しているので、フィルタ２を鼻孔Ｂの開口端に押し付けた状態から鼻孔Ｂ内に挿入する時に、フィルタ２の外周縁部を形成している全ての花弁状突片2bが鼻孔Ｂの開口端面によって鼻孔の大きさに応じて後方、即ち、挿入方向と反対方向に撓まされ、図６に示すように、フィルタ２全体の外径を鼻孔Ｂの孔径に等しくなるように変形して、円板部2aの外周端縁から後方に屈折状態に撓んでいるこれらの全ての花弁状突片2bを鼻孔Ｂ、Ｂの内壁に摺接させながら鼻孔内壁から受ける挿入抵抗を少なくして鼻孔内に円滑に挿入することができる。
【００２２】
さらに、花弁状突片2bが撓むと、隣接する花弁状突片2b、2bの対向側端部間が狭まる方向に変動してその隙間が閉止させられた状態となり、従って、花粉や塵埃等を通過させることなくフィルタ２の全面で捕捉することができて捕捉率を向上させることができると共に、鼻から息を吐く時にはその吐く力によって花弁状突片2bがさらに撓もうとして鼻孔内壁との圧接力が弱くなり、フィルタが薄い不織布から形成されていることと相まって自然に近い鼻呼吸を可能にすることができる。また、花弁状突片2bが起立しようとする復元力が極めて弱いから、鼻孔内壁に対する圧着力が小さくて装着した際の違和感などが殆ど生じないばかりでなく、鼻孔Ｂを膨らませる虞れもなくすることができる。
【００２３】
また、フィルタ２、２を装着した状態でくしゃみをしても、鼻孔内壁に沿って撓んでいる全ての花弁状突片2bがそのくしゃみによる排気力によって円板部2aの外周端を支点としてさらに撓み込んで鼻孔内壁から離間し、その隙間を通じて円滑に鼻外に排出することができるものであり、挿入杆１の両側杆部1a、1aに形成している屈曲係合部1c、1cが鼻中隔Ｃに係止してていることと相まってフィルタ２が鼻孔Ｂから抜け出るのを防止してフィルタ２を安定した状態で鼻孔Ｂ内に装着しておくことができる。
【符号の説明】
【００２４】
Ａ  鼻マスク
Ｂ  鼻孔
１  挿入杆
1a、1a  両側杆部
２  フィルタ
2a  円板部
2b  花弁状突片
３  小孔
４  フィルタ座部
５  突軸部
６  締付リング片
【図１】
0003159887.tif 000003
【図２】
0003159887.tif 000004
【図３】
0003159887.tif 000005
【図４】
0003159887.tif 000006
【図５】
0003159887.tif 000007
【図６】
0003159887.tif 000008